(57)【要約】  冷凍サイクル装置（１０）は、冷媒回路（ＲＣ）と、ストレーナとを備えている。ストレーナは、圧縮機（２０）と凝縮器とを接続する配管（８０）および膨張弁（４０）と蒸発器とを接続する配管（８０）の少なくともいずれかに接続されている。ストレーナが圧縮機（２０）と凝縮器とを接続する配管（８０）に接続されている場合には、ストレーナと凝縮器とを接続する配管（８０）の長さは、圧縮機（２０）とストレーナとを接続する配管（８０）の長さよりも短い。ストレーナが膨張弁（４０）と蒸発器とを接続する配管（８０）に接続されている場合には、ストレーナと蒸発器とを接続する配管（８０）の長さは、膨張弁（４０）とストレーナとを接続する配管（８０）の長さよりも短い。
2019244267.tif 000002
【特許請求の範囲】
【請求項１】
圧縮機、凝縮器、膨張弁、蒸発器の順に冷媒が流れるように配管で接続された冷媒回路と、
前記冷媒回路に接続され、かつ前記冷媒に混入した異物を捕捉するストレーナとを備え、
前記ストレーナは、前記圧縮機と前記凝縮器とを接続する前記配管および前記膨張弁と前記蒸発器とを接続する前記配管の少なくともいずれかに接続されており、
前記ストレーナが前記圧縮機と前記凝縮器とを接続する前記配管に接続されている場合には、前記ストレーナと前記凝縮器とを接続する前記配管の長さは、前記圧縮機と前記ストレーナとを接続する前記配管の長さよりも短く、
前記ストレーナが前記膨張弁と前記蒸発器とを接続する前記配管に接続されている場合には、前記ストレーナと前記蒸発器とを接続する前記配管の長さは、前記膨張弁と前記ストレーナとを接続する前記配管の長さよりも短い、冷凍サイクル装置。
【請求項２】
室内機をさらに備え、
前記室内機に前記ストレーナが収容されている、請求項１に記載の冷凍サイクル装置。
【請求項３】
前記ストレーナは、前記冷媒回路に前記凝縮器または前記蒸発器の一方として機能する室外熱交換器および前記凝縮器または前記蒸発器の他方として機能する室内熱交換器の少なくともいずれかの前後で接続された第１ストレーナおよび第２ストレーナとを有し、
前記冷媒回路は、四方弁をさらに有し、
前記四方弁は、冷房運転時と暖房運転時とによって前記圧縮機から前記室外熱交換器または前記室内熱交換器へ前記冷媒の流れを切り替えるように構成されており、
前記第１ストレーナおよび前記第２ストレーナが前記冷媒回路に前記室内熱交換器の前後で接続されている場合には、前記第１ストレーナは前記膨張弁と前記室内熱交換器とを接続する前記配管に接続されており、前記第２ストレーナは前記室内熱交換器と前記四方弁とを接続する前記配管に接続されており、前記第１ストレーナと前記室内熱交換器とを接続する前記配管の長さは、前記膨張弁と前記第１ストレーナとを接続する前記配管の長さよりも短く、前記第２ストレーナと前記室内熱交換器とを接続する前記配管の長さは、前記四方弁と前記第２ストレーナとを接続する前記配管の長さよりも短く、
前記第１ストレーナおよび前記第２ストレーナが前記冷媒回路に前記室外熱交換器の前後に配置されている場合には、前記第１ストレーナは前記四方弁と前記室外熱交換器とを接続する前記配管に接続されており、前記第２ストレーナは前記室外熱交換器と前記膨張弁とを接続する前記配管に接続されており、前記第１ストレーナと前記室外熱交換器とを接続する前記配管の長さは、前記四方弁と前記第１ストレーナとを接続する前記配管の長さよりも短く、前記第２ストレーナと前記室外熱交換器とを接続する前記配管の長さは、前記膨張弁と前記第２ストレーナとを接続する前記配管の長さよりも短い、請求項１または２に記載の冷凍サイクル装置。
【請求項４】
前記冷媒回路は、バイパス配管と、二方弁とをさらに有し、
前記第１ストレーナおよび前記第２ストレーナが前記冷媒回路に前記室内熱交換器の前後で接続されている場合には、前記バイパス配管は、前記室内熱交換器と前記第２ストレーナとを接続する前記配管と、前記四方弁と前記第２ストレーナとを接続する前記配管とに接続されており、
前記二方弁は、前記室内熱交換器と前記第２ストレーナとを接続する前記配管と前記バイパス配管とに接続されており、
前記二方弁は、前記暖房運転時に前記第２ストレーナから前記室内熱交換器に前記冷媒を流し、前記冷房運転時に前記室内熱交換器から前記バイパス配管に前記冷媒を流すように構成されている、請求項３に記載の冷凍サイクル装置。
【請求項５】
前記冷媒回路は、バイパス配管と、二方弁とをさらに有し、
前記第１ストレーナおよび前記第２ストレーナが前記冷媒回路に前記室外熱交換器の前後で接続されている場合には、前記バイパス配管は、前記室外熱交換器と前記第１ストレーナとを接続する前記配管と、前記四方弁と前記第１ストレーナとを接続する前記配管とに接続されており、
前記二方弁は、前記室外熱交換器と前記第１ストレーナとを接続する前記配管と前記バイパス配管とに接続されており、
前記二方弁は、前記冷房運転時に前記第１ストレーナから前記室外熱交換器に前記冷媒を流し、前記暖房運転時に前記室外熱交換器から前記バイパス配管に前記冷媒を流すように構成されている、請求項３に記載の冷凍サイクル装置。
【請求項６】
前記冷媒回路は、バイパス配管と、第１逆止弁と、第２逆止弁とをさらに有し、
前記第１ストレーナおよび前記第２ストレーナが前記冷媒回路に前記室内熱交換器の前後で接続されている場合には、前記バイパス配管は、前記室内熱交換器と前記第２ストレーナとを接続する前記配管と、前記四方弁と前記第２ストレーナとを接続する前記配管とに接続されており、
前記第１逆止弁は、前記室内熱交換器と前記第２ストレーナとを接続する前記配管に前記第２ストレーナと前記バイパス配管との間において接続されており、かつ前記第２ストレーナから前記室内熱交換器に前記冷媒を流し、前記室内熱交換器から前記第２ストレーナに前記冷媒が流れることを防止するように構成されており、
前記第２逆止弁は、前記バイパス配管に接続されており、かつ前記四方弁から前記室内熱交換器に前記冷媒が流れることを防止するように構成されており、前記室内熱交換器から前記四方弁に前記冷媒を流すように構成されている、請求項３に記載の冷凍サイクル装置。
【請求項７】
前記冷媒回路は、バイパス配管と、第１逆止弁と、第２逆止弁とをさらに有し、
前記第１ストレーナおよび前記第２ストレーナが前記冷媒回路に前記室外熱交換器の前後で接続されている場合には、前記バイパス配管は、前記室外熱交換器と前記第１ストレーナとを接続する前記配管と、前記四方弁と前記第１ストレーナとを接続する前記配管とに接続されており、
前記第１逆止弁は、前記室外熱交換器と前記第１ストレーナとを接続する前記配管に前記第１ストレーナと前記バイパス配管との間において接続されており、かつ前記第１ストレーナから前記室外熱交換器に前記冷媒を流し、前記室外熱交換器から前記第１ストレーナに前記冷媒が流れることを防止するように構成されており、
前記第２逆止弁は、前記バイパス配管に接続されており、かつ前記四方弁から前記室外熱交換器に前記冷媒が流れることを防止するように構成されており、前記室外熱交換器から前記四方弁に前記冷媒を流すように構成されている、請求項３に記載の冷凍サイクル装置。
【請求項８】
前記凝縮器および前記蒸発器の少なくともいずれかは伝熱管を有し、
前記伝熱管は扁平多穴管により構成されている、請求項１〜７のいずれか１項に記載の冷凍サイクル装置。
【発明の詳細な説明】
【技術分野】
【０００１】
本発明は、冷凍サイクル装置に関するものである。
【背景技術】
【０００２】
従来、冷凍サイクル装置内では、配管内に圧縮機の摩耗粉、冷凍機油劣化物などを含むスラッジが発生することが知られている。配管内に発生したスラッジは、冷媒とともに熱交換器の伝熱管内に流入し、伝熱管の内壁に付着する。スラッジが伝熱管の内壁に付着することにより、伝熱管内を流れる冷媒量が低下する。このため、熱交換器の伝熱性能が低下する。【０００３】
そこで、熱交換器の伝熱管内に流入するスラッジを捕捉するためのストレーナを備えた冷凍サイクル装置が提案されている。このストレーナを備えた冷凍サイクル装置は、たとえば特開２００６−２０７９５９号公報（特許文献１）に記載されている。この公報に記載された冷凍サイクル装置では、２つのストレーナが延長配管と熱源側ユニットとの接続部の近傍に設置されている。
【先行技術文献】
【特許文献】
【０００４】
【特許文献１】特開２００６−２０７９５９号公報
【発明の概要】
【発明が解決しようとする課題】
【０００５】
上記公報に記載された冷凍サイクル装置においては、一方のストレーナと熱交換器（凝縮器）との間に延長配管が配置されているため、一方のストレーナと熱交換器（凝縮器）との間の配管の長さが長くなる。また、他方のストレーナは熱交換器（凝縮器）と膨張弁との間に配置されているため、他方のストレーナと熱交換器（蒸発器）との間の配管の長さが長くなる。したがって、ストレーナと熱交換器との間の配管内にスラッジが発生し易いため、当該スラッジが熱交換器に流入することにより、熱交換器の伝熱性能が低下し易い。【０００６】
本発明は上記課題に鑑みてなされたものであり、その目的は、スラッジが熱交換器に流入することによる熱交換器の伝熱性能の低下を抑制することができる冷凍サイクル装置を提供することである。
【課題を解決するための手段】
【０００７】
本発明の冷凍サイクル装置は、冷媒回路と、ストレーナとを備えている。冷媒回路は、圧縮機、凝縮器、膨張弁、蒸発器の順に冷媒が流れるように配管で接続されている。ストレーナは、冷媒回路に接続され、かつ冷媒に混入した異物を捕捉する。ストレーナは、圧縮機と凝縮器とを接続する配管および膨張弁と蒸発器とを接続する配管の少なくともいずれかに接続されている。ストレーナが圧縮機と凝縮器とを接続する配管に接続されている場合には、ストレーナと凝縮器とを接続する配管の長さは、圧縮機とストレーナとを接続する配管の長さよりも短い。ストレーナが膨張弁と蒸発器とを接続する配管に接続されている場合には、ストレーナと蒸発器とを接続する配管の長さは、膨張弁とストレーナとを接続する配管の長さよりも短い。
【発明の効果】
【０００８】
本発明の冷凍サイクル装置によれば、ストレーナが圧縮機と凝縮器とを接続する配管に接続されている場合には、ストレーナと凝縮器とを接続する配管の長さは、圧縮機とストレーナとを接続する配管の長さよりも短い。ストレーナが膨張弁と蒸発器とを接続する配管に接続されている場合には、ストレーナと蒸発器とを接続する配管の長さは、膨張弁とストレーナとを接続する配管の長さよりも短い。したがって、ストレーナと凝縮器とを接続する配管の長さを短くすることにより、当該配管でのスラッジの発生を抑制することができる。また、ストレーナと蒸発器とを接続する配管の長さを短くすることにより、当該配管でのスラッジの発生を抑制することができる。よって、スラッジが熱交換器に流入することによる熱交換器の伝熱性能の低下を抑制することができる。
【図面の簡単な説明】
【０００９】
【図１】本発明の実施の形態１に係る冷凍サイクル装置の冷房運転時の構成を示す構成図である。
【図２】本発明の実施の形態１に係る冷凍サイクル装置の暖房運転時の構成を示す構成図である。
【図３】本発明の実施の形態１に係る変形例１の冷凍サイクル装置の冷房運転時の構成を示す構成図である。
【図４】本発明の実施の形態１に係る変形例１の冷凍サイクル装置の暖房運転時の構成を示す構成図である。
【図５】本発明の実施の形態１に係る変形例２の冷凍サイクル装置の冷房運転時の構成を示す構成図である。
【図６】本発明の実施の形態１に係る変形例２の冷凍サイクル装置の暖房運転時の構成を示す構成図である。
【図７】本発明の実施の形態１に係る変形例３の冷凍サイクル装置の冷房運転時の構成を示す構成図である。
【図８】本発明の実施の形態１に係る変形例３の冷凍サイクル装置の暖房運転時の構成を示す構成図である。
【図９】本発明の実施の形態２に係る冷凍サイクル装置の冷房運転時の構成を示す構成図である。
【図１０】本発明の実施の形態２に係る冷凍サイクル装置の暖房運転時の構成を示す構成図である。
【図１１】本発明の実施の形態２に係る変形例１の冷凍サイクル装置の冷房運転時の構成を示す構成図である。
【図１２】本発明の実施の形態２に係る変形例１の冷凍サイクル装置の暖房運転時の構成を示す構成図である。
【図１３】本発明の実施の形態３に係る冷凍サイクル装置の冷房運転時の構成を示す構成図である。
【図１４】本発明の実施の形態３に係る冷凍サイクル装置の暖房運転時の構成を示す構成図である。
【図１５】本発明の実施の形態３に係る変形例１の冷凍サイクル装置の冷房運転時の構成を示す構成図である。
【図１６】本発明の実施の形態３に係る変形例１の冷凍サイクル装置の暖房運転時の構成を示す構成図である。
【図１７】本発明の実施の形態４に係る冷凍サイクル装置の熱交換器の構成を示す部分断面斜視図である。
【発明を実施するための形態】
【００１０】
以下、本発明の実施の形態について図面を参照して説明する。なお、以下において同一の符号を付したものは、同一又はこれに相当するものであり、このことは明細書の全文において共通することとする。そして、明細書全文に表わされている構成要素の形態は、あくまでも例示であって、本実施の形態は明細書に記載された形態に限定されるものではない。
【００１１】
実施の形態１．
図１および図２を参照して、本発明の実施の形態１に係る冷凍サイクル装置１０について説明する。図１は、本発明の実施の形態１に係る冷凍サイクル装置１０の冷房運転時の冷媒の流れを示している。図２は、本発明の実施の形態１に係る冷凍サイクル装置１０の暖房運転時の冷媒の流れを示している。図１および図２においては破線矢印により冷媒の流れが示されている。
【００１２】
図１に示されるように、本実施の形態に係る冷凍サイクル装置１０は、圧縮機２０と、室外熱交換器３０と、膨張弁４０と、室内熱交換器５０と、四方弁６０と、ストレーナ７１と、ストレーナ７２とを備えている。
【００１３】
また、冷凍サイクル装置１０は、室外機１０１と、室内機１０２とを備えている。室外機１０１に、圧縮機２０と、室外熱交換器３０と、膨張弁４０と、四方弁６０とが収容されている。室内機１０２に、室内熱交換器５０と、ストレーナ７１およびストレーナ７２が収容されている。
【００１４】
圧縮機２０、室外熱交換器３０、膨張弁４０、室内熱交換器５０および四方弁６０は、冷媒回路ＲＣを構成している。冷媒回路ＲＣは、圧縮機２０、凝縮器（室外熱交換器３０または室内熱交換器５０）、膨張弁４０、蒸発器（室内熱交換器５０または室外熱交換器３０）の順に冷媒が流れるように配管（冷媒管）８０で接続されている。
【００１５】
圧縮機２０は、吸入した冷媒を圧縮して吐出するように構成されている。室外熱交換器３０は、冷媒と室外空気との熱交換を行うためのものである。膨張弁４０は、冷媒を減圧する絞り装置である。膨張弁４０は、たとえば、キャピラリーチューブ、電子膨張弁等である。室内熱交換器５０は、冷媒と室内空気との熱交換を行うためのものである。室外熱交換器３０および室内熱交換器５０の各々は、たとえば冷媒が内側を流れるパイプ（伝熱管）と、パイプの外側に取り付けられたフィンとを備えている。また、室外熱交換器３０および室内熱交換器５０の各々はヘッダ（分配器）を含んでいてもよい。
【００１６】
本実施の形態では、冷媒回路ＲＣは、四方弁６０を有している。四方弁６０は、圧縮機２０と、室外熱交換器３０と、室内熱交換器５０とに配管８０で接続されている。四方弁６０は、冷房運転時と暖房運転時とによって圧縮機２０から室外熱交換器３０または室内熱交換器５０への冷媒の流れを切り替えるように構成されている。冷凍サイクル装置１０は、四方弁６０の弁を切り替えることにより冷媒流通経路を変更可能に構成されている。
【００１７】
図１に示されるように、冷房運転時には、冷媒回路ＲＣを、圧縮機２０、四方弁６０、室外熱交換器３０、膨張弁４０、室内熱交換器５０、四方弁６０の順に冷媒が循環する。冷房運転時には、室外熱交換器３０は凝縮器として機能し、室内熱交換器５０は蒸発器として機能する。
【００１８】
図２に示されるように、暖房運転時には、冷房運転時から四方弁６０の弁が切り替えられる。暖房運転時には、冷媒回路ＲＣを、圧縮機２０、四方弁６０、室内熱交換器５０、膨張弁４０、室外熱交換器３０の順で冷媒が循環する。暖房運転時には、室外熱交換器３０は蒸発器として機能し、室内熱交換器５０は凝縮器として機能する。つまり、室外熱交換器３０は凝縮器または蒸発器のいずれか一方として機能する。また、室内熱交換器５０は、凝縮器または蒸発器のいずれか他方として機能する。
【００１９】
ストレーナは、冷媒回路ＲＣに接続されている。ストレーナは、冷媒に混入した異物を捕捉するように構成されている。ストレーナは、たとえば、冷媒に混入した異物を捕捉可能な網を有している。ストレーナは、冷媒流れにおいて熱交換器の入口側に配置されている。本実施の形態では、冷凍サイクル装置１０は、ストレーナとして機能するストレーナ７１およびストレーナ７２を有している。ストレーナ７１およびストレーナ７２の各々は同様の構造を有していてもよい。
【００２０】
本実施の形態では、圧縮機２０と室内熱交換器５０とを接続する配管８０の間にストレーナ７１が配置されており、室内熱交換器５０と膨張弁４０を接続する配管８０の間にストレーナ７２が配置されている。より具体的には、ストレーナ７１は四方弁６０と室内熱交換器５０を接続する配管８０の間に配置されている。本実施の形態では、冷媒回路ＲＣに室内熱交換器５０の前後でストレーナ７１およびストレーナ７２が接続されている。
【００２１】
図１に示されるように、冷房運転時には、ストレーナ７２は、請求の範囲に記載されたストレーナおよび第１ストレーナに相当する。冷房運転時には第１ストレーナに相当するストレーナ７２がストレーナとして機能する。ストレーナ７２は、膨張弁４０と蒸発器である室内熱交換器５０とを接続する配管８０に接続されている。ストレーナ７２と蒸発器である室内熱交換器５０とを接続する配管８０の長さは、膨張弁４０とストレーナ７２とを接続する配管８０の長さよりも短い。
【００２２】
また、冷房運転時には、ストレーナ７１は、請求の範囲に記載された第２ストレーナに相当する。ストレーナ７１は、蒸発器である室内熱交換器５０と圧縮機２０とを接続する配管８０に接続されている。ストレーナ７１と蒸発器である室内熱交換器５０とを接続する配管８０の長さは、圧縮機２０とストレーナ７１とを接続する配管８０の長さよりも短い。また、ストレーナ７１と蒸発器である室内熱交換器５０とを接続する配管８０の長さは、四方弁６０とストレーナ７１とを接続する配管８０の長さよりも短い。
【００２３】
図２に示されるように、暖房運転時には、ストレーナ７１は、請求の範囲に記載されたストレーナおよび第２ストレーナに相当する。暖房運転時には第２ストレーナに相当するストレーナ７１がストレーナとして機能する。ストレーナ７１は、圧縮機２０と凝縮器である室内熱交換器５０とを接続する配管８０に接続されている。ストレーナ７１と凝縮器である室内熱交換器５０とを接続する配管８０の長さは、圧縮機２０とストレーナ７１とを接続する配管８０の長さよりも短い。また、ストレーナ７１と凝縮器である室内熱交換器５０とを接続する配管８０の長さは、四方弁６０とストレーナ７１とを接続する配管８０の長さよりも短い。
【００２４】
また、暖房運転時には、ストレーナ７２は、請求の範囲に記載された第１ストレーナに相当する。ストレーナ７２は、凝縮器である室内熱交換器５０と膨張弁４０とを接続する配管８０に接続されている。ストレーナ７２と凝縮器である室内熱交換器５０とを接続する配管８０の長さは、膨張弁４０とストレーナ７２とを接続する配管の長さよりも短い。
【００２５】
具体的には、配管８０は、冷媒管８１、冷媒管８２、冷媒管８３および冷媒管８４を含んでいる。四方弁６０とストレーナ７１とは冷媒管８１により接続されており、ストレーナ７１と室内熱交換器５０とは冷媒管８２により接続されている。ストレーナ７１は、冷媒回路ＲＣにおいて四方弁６０よりも室内熱交換器５０に近い位置に配置される。すなわち、冷媒管８１の長さよりも冷媒管８２の長さが短い。
【００２６】
また、室内熱交換器５０とストレーナ７２とは冷媒管８３により接続されており、ストレーナ７２と膨張弁４０は冷媒管８４により接続されている。ストレーナ７２は、冷媒回路ＲＣにおいて膨張弁４０よりも室内熱交換器５０に近い位置に配置される。すなわち、冷媒管８４の長さよりも冷媒管８３の長さが短い。
【００２７】
図１に示されるように、冷凍サイクル装置１０において、冷房運転時に、冷媒は、圧縮機２０、四方弁６０、室外熱交換器３０、膨張弁４０、冷媒管８４、ストレーナ７２、冷媒管８３、室内熱交換器５０、冷媒管８２、ストレーナ７１、冷媒管８１、四方弁６０の順に流れる。冷媒は、室内熱交換器５０の前にストレーナ７２を通過するため、ストレーナ７２によりスラッジが捕捉される。そのため、冷房運転時においては、ストレーナ７２により室内熱交換器５０へのスラッジの侵入が抑制される。このスラッジは、配管８０内で発生したものであり、圧縮機２０の摩耗粉、冷凍機油劣化物などを含んでいる。
【００２８】
冷凍サイクル装置１０が冷房運転される場合、室内熱交換器５０の手前の冷媒管８３の長さを短くし、ストレーナ７２と室内熱交換器５０との冷媒管距離を近くすることで、室内熱交換器５０へ冷媒管８３で発生したスラッジが侵入する可能性を低くすることができる。
【００２９】
図２に示されるように、冷凍サイクル装置１０において、暖房運転時に、冷媒は、圧縮機２０、四方弁６０、冷媒管８１、ストレーナ７１、冷媒管８２、室内熱交換器５０、冷媒管８３、ストレーナ７２、冷媒管８４、膨張弁４０、室外熱交換器３０、四方弁６０の順に流れる。冷媒は、室内熱交換器５０の前にストレーナ７１を通過するため、ストレーナ７１によりスラッジが捕捉される。そのため、暖房運転時においては、ストレーナ７１により室内熱交換器５０へのスラッジの侵入が抑制される。
【００３０】
冷凍サイクル装置１０が暖房運転される場合、室内熱交換器５０の手前の冷媒管８２の長さを短くし、ストレーナ７１と室内熱交換器５０との冷媒管距離を近くすることで、室内熱交換器５０へ冷媒管８２で発生したスラッジが侵入する可能性を低くすることができる。
【００３１】
図１および図２では、本実施の形態に係る冷凍サイクル装置１０の一例として、冷媒回路ＲＣに室内熱交換器５０の前後でストレーナが接続されている構成が示されている。しかしながら、本実施の形態に係る冷凍サイクル装置１０の構成は、これに限定されず、冷媒回路ＲＣに室外熱交換器３０の前後でストレーナが接続されている構成であってもよい。
【００３２】
図３および図４を参照して、本実施の形態に係る変形例１の冷凍サイクル装置１０においては、冷媒回路ＲＣに室外熱交換器３０の前後でストレーナが接続されている。図３は、本実施の形態に係る変形例１の冷凍サイクル装置１０の冷房運転時の冷媒の流れを示している。図４は、本実施の形態に係る変形例１の冷凍サイクル装置１０の暖房運転時の冷媒の流れを示している。図３および図４においては破線矢印により冷媒の流れが示されている。
【００３３】
図３および図４に示されるように、本実施の形態に係る変形例１の冷凍サイクル装置１０は、冷媒回路ＲＣに接続されたストレーナ７３およびストレーナ７４を有している。ストレーナ７３およびストレーナ７４の各々は、上述のストレーナ７１およびストレーナ７２と同様の構造を有していてもよい。
【００３４】
本実施の形態に係る変形例１では、圧縮機２０と室外熱交換器３０とを接続する配管８０の間にはストレーナ７３が配置されており、室外熱交換器３０と膨張弁４０を接続する配管８０の間にはストレーナ７４が配置されている。より具体的には、ストレーナ７３は四方弁６０と室外熱交換器３０を接続する配管８０の間に配置されている。本実施の形態に係る変形例１では、冷媒回路ＲＣに室外熱交換器３０の前後でストレーナ７３およびストレーナ７４が接続されている。
【００３５】
図３に示されるように、冷房運転時には、ストレーナ７３は、請求の範囲に記載されたストレーナおよび第１ストレーナに相当する。冷房運転時には第１ストレーナに相当するストレーナ７３がストレーナとして機能する。ストレーナ７３は、圧縮機２０と凝縮器である室外熱交換器３０とを接続する配管８０に接続されている。ストレーナ７３と凝縮器である室外熱交換器３０とを接続する配管８０の長さは、圧縮機２０とストレーナ７３とを接続する配管８０の長さよりも短い。また、ストレーナ７３と凝縮器である室外熱交換器３０とを接続する配管８０の長さは、四方弁６０とストレーナ７３とを接続する配管８０の長さよりも短い。
【００３６】
また、冷房運転時には、ストレーナ７４は、請求の範囲に記載された第２ストレーナに相当する。ストレーナ７４は、凝縮器である室外熱交換器３０と膨張弁４０とを接続する配管８０に接続されている。ストレーナ７４と凝縮器である室外熱交換器３０とを接続する配管８０の長さは、膨張弁４０とストレーナ７４とを接続する配管の長さよりも短い。
【００３７】
図４に示されるように、暖房運転時には、ストレーナ７４は、請求の範囲に記載されたストレーナおよび第２ストレーナに相当する。暖房運転時には第２ストレーナに相当するストレーナ７４がストレーナとして機能する。ストレーナ７４は、膨張弁４０と蒸発器である室外熱交換器３０とを接続する配管８０に接続されている。ストレーナ７４と蒸発器である室外熱交換器３０とを接続する配管８０の長さは、膨張弁４０とストレーナ７４とを接続する配管８０の長さよりも短い。
【００３８】
また、暖房運転時には、ストレーナ７３は、請求の範囲に記載された第１ストレーナに相当する。ストレーナ７３は、蒸発器である室外熱交換器３０と圧縮機２０とを接続する配管８０に接続されている。ストレーナ７３と蒸発器である室外熱交換器３０とを接続する配管８０の長さは、圧縮機２０とストレーナ７３とを接続する配管８０の長さよりも短い。また、ストレーナ７３と蒸発器である室外熱交換器３０とを接続する配管８０の長さは、四方弁６０とストレーナ７３とを接続する配管８０の長さよりも短い。
【００３９】
図３に示されるように、冷凍サイクル装置１０において、冷房運転時に、冷媒は、圧縮機２０、四方弁６０、ストレーナ７３、室外熱交換器３０、ストレーナ７４、膨張弁４０、室内熱交換器５０、四方弁６０の順に流れる。冷媒は、室外熱交換器３０の前にストレーナ７３を通過するため、ストレーナ７３によりスラッジが捕捉される。そのため、冷房運転時においては、ストレーナ７３により室外熱交換器３０へのスラッジの侵入が抑制される。
【００４０】
冷凍サイクル装置１０が冷房運転される場合、ストレーナ７３と室外熱交換器３０とを接続する配管８０の長さを短くすることで、室内熱交換器５０へストレーナ７３と室外熱交換器３０とを接続する配管８０で発生したスラッジが侵入する可能性を低くすることができる。
【００４１】
図４に示されるように、冷凍サイクル装置１０において、暖房運転時に、冷媒は、圧縮機２０、四方弁６０、室内熱交換器５０、膨張弁４０、ストレーナ７４、室外熱交換器３０、ストレーナ７３、四方弁６０の順に流れる。冷媒は、室外熱交換器３０の前にストレーナ７４を通過するため、ストレーナ７４によりスラッジが捕捉される。そのため、暖房運転時においては、ストレーナ７４により室外熱交換器３０へのスラッジの侵入が抑制される。
【００４２】
冷凍サイクル装置１０が暖房運転される場合、ストレーナ７４と室外熱交換器３０とを接続する配管８０の長さを短くすることで、室外熱交換器３０へストレーナ７４と室外熱交換器３０とを接続する配管８０で発生したスラッジが侵入する可能性を低くすることができる。
【００４３】
また、本実施の形態に係る冷凍サイクル装置１０の構成は、冷媒回路ＲＣに室外熱交換器３０および室内熱交換器５０の両方の前後でストレーナが接続されている構成であってもよい。
【００４４】
図５および図６を参照して、本実施の形態に係る変形例２の冷凍サイクル装置１０においては、冷媒回路ＲＣにおいて室外熱交換器３０および室内の前後にストレーナが配置されている。図５は、本実施の形態に係る変形例２の冷凍サイクル装置１０の冷房運転時の冷媒の流れを示している。図６は、本実施の形態に係る変形例２の冷凍サイクル装置１０の暖房運転時の冷媒の流れを示している。図５および図６においては破線矢印により冷媒の流れが示されている。
【００４５】
図５および図６に示されるように、本実施の形態に係る変形例２の冷凍サイクル装置１０は、ストレーナ７１、ストレーナ７２、ストレーナ７３およびストレーナ７４を有している。
【００４６】
図５に示されるように、冷房運転時には、ストレーナ７２およびストレーナ７３は、請求の範囲に記載されたストレーナおよび第１ストレーナに相当する。また、ストレーナ７１およびストレーナ７４は、請求の範囲に記載された第２ストレーナに相当する。
【００４７】
図６に示されるように、暖房運転時には、ストレーナ７１およびストレーナ７４は、請求の範囲に記載されたストレーナおよび第１ストレーナに相当する。また、ストレーナ７２およびストレーナ７３は、請求の範囲に記載された第２ストレーナに相当する。
【００４８】
さらに、図１〜図６では、本実施の形態に係る冷凍サイクル装置１０および本実施の形態に係る変形例の一例として、冷媒回路ＲＣに室内熱交換器５０および室外熱交換器３０の少なくともいずれかの前後にストレーナが接続されている構成が示されている。しかしながら、本実施の形態に係る冷凍サイクル装置１０の構成は、これらに限定されず、冷媒回路ＲＣに室内熱交換器５０または室外熱交換器３０の前のみにストレーナが接続されている構成であってもよい。
【００４９】
図７を参照して、本実施の形態に係る変形例３の冷凍サイクル装置１０においては、冷媒回路ＲＣに室内熱交換器５０の前のみにストレーナが接続されている。図７は、本実施の形態に係る変形例３の冷凍サイクル装置１０の冷房運転時の冷媒の流れを示している。図７においては破線矢印により冷媒の流れが示されている。
【００５０】
図７に示されるように、本実施の形態に係る変形例２の冷凍サイクル装置１０は、上述の四方弁６０を有していない。冷房運転時には、冷媒回路ＲＣを、圧縮機２０、室外熱交換器３０、膨張弁４０、ストレーナ７０、室内熱交換器５０順に冷媒が循環する。冷房運転時には、室外熱交換器３０は凝縮器として機能し、室内熱交換器５０は蒸発器として機能する。
【００５１】
ストレーナ７０は、請求の範囲に記載されたストレーナに相当する。ストレーナ７０は、膨張弁４０と蒸発器である室内熱交換器５０とを接続する配管８０に接続されている。ストレーナ７０と蒸発器である室内熱交換器５０とを接続する配管８０の長さは、膨張弁４０とストレーナ７０とを接続する配管８０の長さよりも短い。
【００５２】
図８を参照して、本実施の形態に係る変形例４の冷凍サイクル装置においては、冷媒回路ＲＣに室外熱交換器３０の前のみにストレーナが接続されている。図８は、本実施の形態に係る変形例４の冷凍サイクル装置１０の冷房運転時の冷媒の流れを示している。図８においては破線矢印により冷媒の流れが示されている。
【００５３】
図８に示されるように、本実施の形態に係る変形例４の冷凍サイクル装置１０は、上述の四方弁６０を有していない。冷房運転時には、冷媒回路ＲＣを、圧縮機２０、ストレーナ７０、室外熱交換器３０、膨張弁４０、室内熱交換器５０順に冷媒が循環する。冷房運転時には、室外熱交換器３０は凝縮器として機能し、室内熱交換器５０は蒸発器として機能する。
【００５４】
ストレーナ７０は、請求の範囲に記載されたストレーナに相当する。ストレーナ７０は、圧縮機２０と凝縮器である室外熱交換器３０とを接続する配管８０に接続されている。ストレーナ７０と凝縮器である室外熱交換器３０とを接続する配管８０の長さは、圧縮機２０とストレーナ７３とを接続する配管８０の長さよりも短い。
【００５５】
次に、本実施の形態の作用効果について説明する。
本実施の形態に係る冷凍サイクル装置１０では、ストレーナが圧縮機２０と凝縮器とを接続する配管８０に接続されている場合には、ストレーナと凝縮器とを接続する配管８０の長さは、圧縮機２０とストレーナとを接続する配管８０の長さよりも短い。ストレーナが膨張弁４０と蒸発器とを接続する配管８０に接続されている場合には、ストレーナと蒸発器とを接続する配管８０の長さは、膨張弁４０とストレーナとを接続する配管８０の長さよりも短い。したがって、ストレーナと凝縮器とを接続する配管８０の長さを短くすることにより、当該配管８０でのスラッジの発生を抑制することができる。また、ストレーナと蒸発器とを接続する配管８０の長さを短くすることにより、当該配管８０でのスラッジの発生を抑制することができる。よって、スラッジが熱交換器（凝縮器または蒸発器）に流入することによる熱交換器（凝縮器または蒸発器）の伝熱性能の低下を抑制することができる。
【００５６】
また、本実施の形態に係る冷凍サイクル装置１０は、四方弁６０と、冷媒回路ＲＣに室外熱交換器３０および室内熱交換器５０の少なくともいずれかの前後で接続された第１ストレーナおよび第２ストレーナを備えている。冷房運転時には第１ストレーナがストレーナとして機能し、暖房運転時には第２ストレーナがストレーナとして機能する。したがって、第１ストレーナおよび第２ストレーナにより冷房運転および暖房運転の両方において、室外熱交換器３０および室内熱交換器５０の少なくともいずれかにスラッジが流入することによる熱交換器（凝縮器または蒸発器）の伝熱性能の低下を抑制することができる。
【００５７】
また、本実施の形態に係る冷凍サイクル装置１０によれば、室内機１０２に、第１ストレーナおよび第２ストレーナが収容されている。このため、室内機１０２に収容された室内熱交換器５０と第１ストレーナおよび第２ストレーナとを接続する配管８０の各々の長さを短くすることができる。これにより、当該配管８０でのスラッジの発生を抑制することができる。よってスラッジが室内熱交換器５０に流入することによる室内熱交換器５０の伝熱性能の低下を抑制することができる。
【００５８】
実施の形態２．
図９および図１０を参照して、本発明の実施の形態２に係る冷凍サイクル装置１０について説明する。図９は、本発明の実施の形態２に係る冷凍サイクル装置１０の冷房運転時の冷媒の流れを示している。図１０は、本発明の実施の形態２に係る冷凍サイクル装置１０の暖房運転時の冷媒の流れを示している。図９および図１０においては破線矢印により冷媒の流れが示されている。
【００５９】
図９および図１０に示されるように、本実施の形態に係る冷凍サイクル装置１０は、ストレーナ７１と、ストレーナ７２と、バイパス配管９０と、二方弁１００とを備えている。本実施の形態では、冷媒回路ＲＣに室内熱交換器５０の前後でストレーナ７１およびストレーナ７２が接続されている。冷媒回路ＲＣは、バイパス配管９０と、二方弁１００とを有している。
【００６０】
図９に示されるように、冷房運転時には、ストレーナ７２は、請求の範囲に記載されたストレーナおよび第１ストレーナに相当し、ストレーナ７１は第２ストレーナに相当する。バイパス配管９０は、室内熱交換器５０とストレーナ７１とを接続する配管８０と、四方弁６０とストレーナ７１とを接続する配管８０とに接続されている。バイパス配管９０はストレーナ７１をバイパスするように構成されている。本実施の形態では、バイパス配管９０は、冷媒管８１と冷媒管８２とに接続されている。
【００６１】
二方弁１００は、室内熱交換器５０とストレーナ７１とを接続する配管８０とバイパス配管９０とに接続されている。二方弁１００は、冷媒管８２とバイパス配管９０との分岐部に配置されている。冷凍サイクル装置１０は、二方弁１００の弁を切り替えることにより冷媒流通経路をストレーナ７１への経路とバイパス配管９０への経路のどちらか一方に変更可能に構成されている。
【００６２】
図９に示されるように、二方弁１００は、冷房運転時に室内熱交換器５０からバイパス配管９０に冷媒を流すように構成されている。また、図１０に示されるように、二方弁１００は、暖房運転時にストレーナ７１から室内熱交換器５０に冷媒を流すように構成されている。
【００６３】
図９に示されるように、冷凍サイクル装置１０が冷房運転を行う場合、二方弁１００は、冷媒がバイパス配管９０への経路を流れ、ストレーナ７１への経路を流れないように設定される。つまり、冷房運転時には、冷媒は、圧縮機２０、四方弁６０、室外熱交換器３０、膨張弁４０、冷媒管８４、ストレーナ７２、冷媒管８３、室内熱交換器５０、冷媒管８２、二方弁１００、バイパス配管９０、冷媒管８１、四方弁６０の順に流れる。
【００６４】
冷凍サイクル装置１０が冷房運転を行う場合、室内熱交換器５０を流出した冷媒がストレーナ７１を通過すると、冷媒の圧力損失が増加することにより圧縮機２０に吸入される冷媒の圧力が低下する可能性がある。圧縮機２０に吸入される冷媒の圧力が低下すると、圧縮機２０の入力が増加するため、冷凍サイクル装置１０の消費電力量が増加する。
【００６５】
したがって、本実施の形態のように冷凍サイクル装置１０が冷房運転を行う場合、冷媒がバイパス配管９０を通過してストレーナ７１を通過しないように二方弁１００を設定することで、冷凍サイクル装置１０の消費電力量の増加を抑制することができる。
【００６６】
また、図１０に示されるように、冷凍サイクル装置１０が暖房運転を行う場合、二方弁１００は、冷媒がストレーナ７１への経路を流れ、バイパス配管９０への経路を流れないように設定される。つまり、暖房運転時には、冷媒は、圧縮機２０、四方弁６０、冷媒管８１、ストレーナ７１、冷媒管８２、二方弁１００、冷媒管８２、室内熱交換器５０、冷媒管８３、ストレーナ７２、冷媒管８４、膨張弁４０、室外熱交換器３０、四方弁６０の順に流れる。
【００６７】
冷凍サイクル装置１０が暖房運転を行う場合、室内熱交換器５０に冷媒が流入する前にストレーナ７１を通過するため、ストレーナ７１にスラッジが捕捉される。これにより、室内熱交換器５０へのスラッジの侵入を抑制することができる。
【００６８】
図９および図１０では、本発明の実施の形態２に係る冷凍サイクル装置１０の一例として、冷媒回路ＲＣに室内熱交換器５０の前後でストレーナが接続されている構成であってバイパス配管９０および二方弁１００を配置する構成が示されている。しかしながら、本実施の形態に係る冷凍サイクル装置１０の構成は、これに限定されず、冷媒回路ＲＣに室外熱交換器３０の前後でストレーナが接続されている構成であってバイパス配管９０および二方弁１００を配置する構成であってもよい。
【００６９】
図１１および図１２を参照して、本実施の形態に係る変形例１の冷凍サイクル装置１０においては、冷媒回路ＲＣに室外熱交換器３０の前後にストレーナが接続されている。図１１は、本実施の形態に係る変形例１の冷凍サイクル装置１０の冷房運転時の冷媒の流れを示している。図１２は、本実施の形態に係る変形例１の冷凍サイクル装置１０の暖房運転時の冷媒の流れを示している。図１１および図１２においては破線矢印により冷媒の流れが示されている。
【００７０】
図１１および図１２に示されるように、本実施の形態に係る変形例１の冷凍サイクル装置１０は、ストレーナ７３と、ストレーナ７４と、バイパス配管９０と、二方弁１００とを備えている。ストレーナ７３およびストレーナ７４は冷媒回路ＲＣにおいて室外熱交換器３０の前後に配置されている。本実施の形態では、冷媒回路ＲＣに室外熱交換器３０の前後にストレーナ７３およびストレーナ７４が接続されている。
【００７１】
図１１に示されるように、冷房運転時には、ストレーナ７３は、請求の範囲に記載されたストレーナおよび第１ストレーナに相当し、ストレーナ７４は第２ストレーナに相当する。バイパス配管９０は、室外熱交換器３０とストレーナ７３とを接続する配管８０と、四方弁６０とストレーナ７３とを接続する配管８０とに接続されている。バイパス配管９０は、ストレーナ７３をバイパスするように構成されている。
【００７２】
二方弁１００は、室外熱交換器３０とストレーナ７３とを接続する配管８０とバイパス配管９０とを接続されている。二方弁１００は、冷媒流通経路においてストレーナ７３への経路とバイパス配管９０への経路との分岐部に配置されている。冷凍サイクル装置１０は、二方弁１００の弁を切り替えることにより冷媒流通経路をストレーナ７３への経路とバイパス配管９０への経路のどちらか一方に変更可能に構成されている。
【００７３】
図１１に示されるように、二方弁１００は、冷房運転時にストレーナ７３から室外熱交換器３０に冷媒を流すように構成されている。また、図１２に示されるように、二方弁１００は、暖房運転時に室外熱交換器３０からバイパス配管９０に冷媒を流すように構成されている。
【００７４】
図１１に示されるように、冷凍サイクル装置１０が冷房運転を行う場合、二方弁１００は、冷媒がストレーナ７３への経路を流れ、バイパス配管９０への経路を流れないように設定される。つまり、冷房運転時には、冷媒は、圧縮機２０、四方弁６０、ストレーナ７３、二方弁１００、室外熱交換器３０、ストレーナ７４、膨張弁４０、室内熱交換器５０、四方弁６０の順に流れる。
【００７５】
冷凍サイクル装置１０が冷房運転を行う場合、室外熱交換器３０に冷媒が流入する前にストレーナ７３を通過するため、ストレーナ７３にスラッジが捕捉される。これにより、室外熱交換器３０へのスラッジの侵入を抑制することができる。
【００７６】
また、図１２に示されるように、冷凍サイクル装置１０が暖房運転を行う場合、二方弁１００は、冷媒がバイパス配管９０への経路を流れ、ストレーナ７３への経路を流れないように設定される。つまり、暖房運転時には、冷媒は、圧縮機２０、四方弁６０、室内熱交換器５０、膨張弁４０、ストレーナ７４、室外熱交換器３０、二方弁１００、バイパス配管９０、四方弁６０の順に流れる。
【００７７】
冷凍サイクル装置１０が暖房運転を行う場合、室外熱交換器３０を流出した冷媒がストレーナ７３を通過すると、冷媒の圧力損失が増加することにより圧縮機２０に吸入される冷媒の圧力が低下する可能性がある。圧縮機２０に吸入される冷媒の圧力が低下すると、圧縮機２０の入力が増加するため、冷凍サイクル装置１０の消費電力量が増加する。
【００７８】
したがって、本実施の形態に係る変形例１のように冷凍サイクル装置１０が暖房運転を行う場合、冷媒がバイパス配管９０を通過してストレーナ７３を通過しないように二方弁１００を設定することで、冷凍サイクル装置１０の消費電力量の増加を抑制することができる。
【００７９】
次に、本実施の形態の作用効果について説明する。
本実施の形態に係る冷凍サイクル装置１０では、図９に示されるように、バイパス配管９０は室内熱交換器５０と第２ストレーナとを接続する配管８０と、四方弁６０と第２ストレーナとを接続する配管８０とに接続されている。二方弁１００は、冷房運転時に室内熱交換器５０からバイパス配管９０に冷媒を流すように構成されている。このため、二方弁１００により冷媒をバイパス配管９０に流すことができる。そして、冷房運転時に、冷媒がバイパス配管９０を通過することにより、冷媒が第２ストレーナを通過することによる冷媒の圧力損失を避けることができる。このため、冷媒の圧力損失が増加することによる圧縮機２０に吸収される冷媒の圧力の低下を避けることができる。よって、冷媒の圧力の低下による圧縮機２０の入力の増加を避けることができるため、冷凍サイクル装置１０の消費電力量の増加を避けることができる。
【００８０】
また、本実施の形態に係る冷凍サイクル装置１０では、図１２に示されるように、バイパス配管９０は、室外熱交換器３０と第１ストレーナとを接続する配管８０と、四方弁６０と第１ストレーナとを接続する配管８０とに接続されている。二方弁１００は、暖房運転時に室外熱交換器３０からバイパス配管９０に冷媒を流すように構成されている。このため、二方弁１００により冷媒をバイパス配管９０に流すことができる。そして、暖房運転時に、冷媒がバイパス配管９０を通過することにより、冷媒が第１ストレーナを通過することによる冷媒の圧力損失を避けることができる。このため、冷媒の圧力損失が増加することによる圧縮機２０に吸収される冷媒の圧力の低下を避けることができる。よって、冷媒の圧力の低下による圧縮機２０の入力の増加を避けることができるため、冷凍サイクル装置１０の消費電力量の増加を避けることができる。
【００８１】
バイパス配管９０は、圧力損失が大きい冷媒でより効果が発揮される。したがって、本実施の形態における冷媒は、Ｒ３２よりも圧力損失が大きく、かつ低ＧＷＰ（Global  Warming  Potential）冷媒であってもよい。具体的には、冷媒は、Ｒ２９０またはＲ２９０を含む混合冷媒であってもよい。また、冷媒は、Ｒ１２３４ｙｆまたはＲ１２３４ｚｅを含む混合冷媒であってもよい。
【００８２】
実施の形態３．
図１３および図１４を参照して、本発明の実施の形態３に係る冷凍サイクル装置１０について説明する。図１３は、本発明の実施の形態３に係る冷凍サイクル装置１０の冷房運転時の冷媒の流れを示している。図１４は、本発明の実施の形態２に係る冷凍サイクル装置１０の暖房運転時の冷媒の流れを示している。図１３および図１４においては破線矢印により冷媒の流れが示されている。
【００８３】
図１３および図１４に示されるように、本実施の形態に係る冷凍サイクル装置１０は、ストレーナ７１と、ストレーナ７２と、バイパス配管９０と、第１逆止弁１１１と、第２逆止弁１１２とを備えている。本実施の形態では、冷媒回路ＲＣに室内熱交換器５０の前後でストレーナ７１およびストレーナ７２が接続されている。冷媒回路ＲＣは、バイパス配管９０と、第１逆止弁１１１と、第２逆止弁１１２とを有している。
【００８４】
図１３に示されるように、冷房運転時には、ストレーナ７２は、請求の範囲に記載されたストレーナおよび第１ストレーナに相当し、ストレーナ７１は第２ストレーナに相当する。第１逆止弁１１１は、室内熱交換器５０とストレーナ７１とを接続する配管８０にストレーナ７１とバイパス配管９０との間において接続されている。具体的には、第１逆止弁１１１は、冷媒管８２とバイパス配管９０との分岐部とストレーナ７１との間に配置されている。第２逆止弁１１２は、バイパス配管９０に接続されている。第１逆止弁１１１および第２逆止弁１１２の各々は、一方向のみ冷媒が流通可能であり、逆方向から流れてきた冷媒の流れを遮断することができる。
【００８５】
図１３に示されるように、第１逆止弁１１１は、ストレーナ７１から室内熱交換器５０に冷媒を流し、室内熱交換器５０からストレーナ７１に冷媒が流れることを防止するように構成されている。第１逆止弁１１１は、四方弁６０から室内熱交換器５０に向けて冷媒を流し、室内熱交換器５０から四方弁６０に向けて冷媒が流れるのを遮断するように配置されている。
【００８６】
図１４に示されるように、第２逆止弁１１２は、四方弁６０から室内熱交換器５０に冷媒が流れることを防止するように構成されており、室内熱交換器５０から四方弁６０に冷媒を流すように構成されている。第２逆止弁１１２は、室内熱交換器５０から四方弁６０に向けて冷媒を流し、四方弁６０から室内熱交換器５０に向けて冷媒が流れるのを遮断するように配置されている。
【００８７】
図１３に示されるように、冷凍サイクル装置１０が冷房運転を行う場合、冷媒は、圧縮機２０、四方弁６０、室外熱交換器３０、膨張弁４０、冷媒管８４、ストレーナ７２、冷媒管８３、室内熱交換器５０、冷媒管８２、バイパス配管９０、第２逆止弁１１２、バイパス配管９０、冷媒管８１、四方弁６０の順に流れる。
【００８８】
冷凍サイクル装置１０が冷房運転を行う場合、冷媒は、ストレーナ７２を通過した後に室内熱交換器５０に流入するため、ストレーナ７２によりスラッジは捕捉される。これにより、室内熱交換器５０へのスラッジの侵入を抑制することができる。さらには、室内熱交換器５０の冷媒流路がスラッジにより閉塞されることを抑制することができる。また、室内熱交換器５０を通過した冷媒は、バイパス配管９０を流れるため、圧縮機２０に吸入される冷媒の圧力の低下を抑制することができる。
【００８９】
図１４に示されるように、冷凍サイクル装置１０が暖房運転を行う場合、冷媒は、圧縮機２０、四方弁６０、冷媒管８１、ストレーナ７１、第１逆止弁１１１、冷媒管８２、室内熱交換器５０、冷媒管８３、ストレーナ７２、冷媒管８４、膨張弁４０、室外熱交換器３０、四方弁６０の順に流れる。
【００９０】
冷凍サイクル装置１０が暖房運転を行う場合、冷媒は、ストレーナ７１を通過した後に室内熱交換器５０に流入するため、ストレーナ７１によりスラッジは捕捉される。これにより、室内熱交換器５０へのスラッジの侵入を抑制することができる。さらには、室内熱交換器５０の冷媒流路がスラッジにより閉塞することを抑制することができる。
【００９１】
図１３および図１４では、本発明の実施の形態３に係る冷凍サイクル装置１０の一例として、冷媒回路ＲＣに室内熱交換器５０の前後でストレーナが接続されている構成であってバイパス配管９０並びに第１逆止弁１１１および第２逆止弁１１２を配置する構成が示されている。しかしながら、本実施の形態に係る冷凍サイクル装置１０の構成は、これに限定されず、冷媒回路ＲＣに室外熱交換器３０の前後でストレーナが接続されている構成であってバイパス配管９０並びに第１逆止弁１１１および第２逆止弁１１２を配置する構成であってもよい。
【００９２】
図１５および図１６を参照して、本実施の形態に係る変形例１の冷凍サイクル装置１０においては、冷媒回路ＲＣにおいて室外熱交換器３０の前後にストレーナが配置されている。図１５は、本実施の形態に係る変形例１の冷凍サイクル装置１０の冷房運転時の冷媒の流れを示している。図１６は、本実施の形態に係る変形例１の冷凍サイクル装置１０の暖房運転時の冷媒の流れを示している。図１５および図１６においては破線矢印により冷媒の流れが示されている。
【００９３】
図１５および図１６に示されるように、本実施の形態に係る冷凍サイクル装置１０は、ストレーナ７３と、ストレーナ７４と、バイパス配管９０と、第１逆止弁１１１と、第２逆止弁１１２とを備えている。本実施の形態では、冷媒回路ＲＣに室外熱交換器３０の前後でストレーナ７３およびストレーナ７４が接続されている。
【００９４】
図１５に示されるように、冷房運転時には、ストレーナ７３は、請求の範囲に記載されたストレーナおよび第１ストレーナに相当し、ストレーナ７４は第２ストレーナに相当する。第１逆止弁１１１は、室外熱交換器３０とストレーナ７３とを接続する配管８０にストレーナ７３とバイパス配管９０との間において接続されている。具体的には、第１逆止弁１１１は、ストレーナ７３と室外熱交換器３０とを接続する配管とバイパス配管９０との分岐部とストレーナ７３との間に配置されている。第２逆止弁１１２はバイパス配管９０に接続されている。
【００９５】
図１５に示されるように、第１逆止弁１１１は、ストレーナ７３から室外熱交換器３０に冷媒を流し、室外熱交換器３０からストレーナ７３に冷媒が流れることを防止するように構成されている。第１逆止弁１１１は、四方弁６０から室外熱交換器３０に向けて冷媒を流し、室外熱交換器３０から四方弁６０に向けて冷媒が流れるのを遮断するように配置されている。
【００９６】
図１６に示されるように、第２逆止弁１１２は、四方弁６０から室外熱交換器３０に冷媒が流れることを防止するように構成されており、室外熱交換器３０から四方弁６０に冷媒を流すように構成されている。第２逆止弁１１２は、室外熱交換器３０から四方弁６０に向けて冷媒を流し、四方弁６０から室外熱交換器３０に向けて冷媒が流れるのを遮断するように配置されている。
【００９７】
図１５に示されるように、冷凍サイクル装置１０が冷房運転を行う場合、冷媒は、圧縮機２０、四方弁６０、ストレーナ７３、第１逆止弁１１１、室外熱交換器３０、ストレーナ７４、膨張弁４０、室内熱交換器５０、四方弁６０の順に流れる。
【００９８】
冷凍サイクル装置１０が冷房運転を行う場合、冷媒は、ストレーナ７３を通過した後に室外熱交換器３０に流入するため、ストレーナ７３によりスラッジは捕捉される。これにより、室外熱交換器３０へのスラッジの侵入を抑制することができる。さらには、室外熱交換器３０の冷媒流路がスラッジにより閉塞することを抑制することができる。
【００９９】
図１６に示されるように、冷凍サイクル装置１０が暖房運転を行う場合、冷媒は、圧縮機２０、四方弁６０、室内熱交換器５０、膨張弁４０、ストレーナ７４、室外熱交換器３０、バイパス配管９０、第２逆止弁１１２、バイパス配管９０、四方弁６０の順に流れる。
【０１００】
冷凍サイクル装置１０が暖房運転を行う場合、冷媒は、ストレーナ７４を通過した後に室外熱交換器３０に流入するため、ストレーナ７４によりスラッジは捕捉される。これにより、室外熱交換器３０へのスラッジの侵入を抑制することができる。さらには、室外熱交換器３０の冷媒流路がスラッジにより閉塞されることを抑制することができる。また、室外熱交換器３０を通過した冷媒は、バイパス配管９０を流れるため、圧縮機２０に吸入される冷媒の圧力の低下を抑制することができる。
【０１０１】
次に、本実施の形態の作用効果について説明する。
本実施の形態に係る冷凍サイクル装置１０では、図１５に示されるように、バイパス配管９０は、室内熱交換器５０と第２ストレーナとを接続する配管８０と、四方弁６０と第２ストレーナとを接続する配管８０とに接続されている。第１逆止弁１１１は第２ストレーナから室内熱交換器５０に冷媒を流し、室内熱交換器５０から第２ストレーナに冷媒が流れることを防止するように構成されている。第２逆止弁１１２は、四方弁６０から室内熱交換器５０に冷媒が流れることを防止するように構成されており、室内熱交換器５０から四方弁６０に冷媒を流すように構成されている。第１逆止弁１１１および第２逆止弁１１２により、冷媒をバイパス配管９０に流すことができる。このため、冷房運転時に、冷媒がバイパス配管９０を通過することにより、冷媒が第２ストレーナを通過することによる冷媒の圧力損失を避けることができる。このため、冷媒の圧力損失が増加することによる圧縮機２０に吸収される冷媒の圧力の低下を避けることができる。よって、冷媒の圧力の低下による圧縮機２０の入力の増加を避けることができるため、冷凍サイクル装置１０の消費電力量の増加を避けることができる。
【０１０２】
本実施の形態に係る冷凍サイクル装置１０では、図１６に示されるように、バイパス配管９０は、室外熱交換器３０と第１ストレーナとを接続する配管８０と、四方弁６０と第１ストレーナとを接続する配管８０とに接続されている。第１逆止弁１１１は、第１ストレーナから室外熱交換器３０に冷媒を流し、室外熱交換器３０から第１ストレーナに冷媒が流れることを防止するように構成されている。第２逆止弁１１２は、四方弁６０から室外熱交換器３０に冷媒が流れることを防止するように構成されており、室外熱交換器３０から四方弁に冷媒を流すように構成されている。第１逆止弁１１１および第２逆止弁１１２により、冷媒をバイパス配管９０に流すことができる。そして、冷房運転時に、冷媒がバイパス配管９０を通過することにより、冷媒が第１ストレーナを通過することによる冷媒の圧力損失を避けることができる。このため、冷媒の圧力損失が増加することによる圧縮機２０に吸収される冷媒の圧力の低下を避けることができる。よって、冷媒の圧力の低下による圧縮機２０の入力の増加を避けることができるため、冷凍サイクル装置１０の消費電力量の増加を避けることができる。
【０１０３】
実施の形態４．
図１７を参照して、本発明の実施の形態４に係る冷凍サイクル装置１０について説明する。図１７は、本発明の実施の形態４に係る冷凍サイクル装置１０の熱交換器の伝熱管の構成を概要的に示す構成図である。
【０１０４】
図１７に示されるように、室外熱交換器３０および室内熱交換器５０の少なくともいずれかは、伝熱管を有している。伝熱管は扁平多穴管１２０により構成されている。室外熱交換器３０および室内熱交換器５０の少なくともいずれかは、複数の扁平多穴管１２０と、ヘッダタンク１３０とを有している。複数の扁平多穴管１２０は積層されている。複数の扁平多穴管１２０の各々は複数の冷媒流路１２２を有している。複数の扁平多穴管１２０はヘッダタンク１３０に挿入されている。
【０１０５】
図１７中矢印で示されるように、ヘッダタンク１３０から扁平多穴管１２０に冷媒が流入する場合、扁平多穴管１２０の流入口先端側の内壁１２１に冷媒が衝突する。冷媒が扁平多穴管１２０の内壁１２１に衝突すると冷媒に混入しているスラッジが扁平多穴管１２０の内壁１２１に付着する。そのため、冷凍サイクル装置１０の運転が継続されると、扁平多穴管１２０の内壁１２１に徐々にスラッジが堆積する。そして、この堆積したスラッジにより扁平多穴管１２０の冷媒流路１２２が閉塞されるおそれがある。
【０１０６】
本実施の形態によれば、室外熱交換器３０および室内熱交換器５０の少なくともいずれかの伝熱管は扁平多穴管１２０により構成されている。このため、冷媒回路ＲＣにおいて扁平多穴管１２０を有する熱交換器の前または前後にストレーナが接続することにより、扁平多穴管１２０の冷媒流路１２２がスラッジにより閉塞されることを抑制することができる。
【０１０７】
上記の各実施の形態は適宜組み合わせることが可能である。
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【０１０８】
１０  冷凍サイクル装置、２０  圧縮機、３０  室外熱交換器、４０  膨張弁、５０  室内熱交換器、６０  四方弁、７０，７１，７２，７３，７４  ストレーナ、８０  配管、９０  バイパス配管、１００  二方弁、１０１  室外機、１０２  室内機、１１１  第１逆止弁、１１２  第２逆止弁、１２０  扁平多穴管、ＲＣ  冷媒回路。
【図１】
2019244267.tif 000003
【図２】
2019244267.tif 000004
【図３】
2019244267.tif 000005
【図４】
2019244267.tif 000006
【図５】
2019244267.tif 000007
【図６】
2019244267.tif 000008
【図７】
2019244267.tif 000009
【図８】
2019244267.tif 000010
【図９】
2019244267.tif 000011
【図１０】
2019244267.tif 000012
【図１１】
2019244267.tif 000013
【図１２】
2019244267.tif 000014
【図１３】
2019244267.tif 000015
【図１４】
2019244267.tif 000016
【図１５】
2019244267.tif 000017
【図１６】
2019244267.tif 000018
【図１７】
2019244267.tif 000019
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
圧縮機、凝縮器、膨張弁、蒸発器の順に冷媒が流れるように配管で接続された冷媒回路と、
前記冷媒回路に接続され、かつ前記冷媒に混入した異物を捕捉するストレーナとを備え、
前記ストレーナは、前記圧縮機と前記凝縮器とを接続する前記配管および前記膨張弁と前記蒸発器とを接続する前記配管の少なくともいずれかに接続されており、
前記ストレーナが前記圧縮機と前記凝縮器とを接続する前記配管に接続されている場合には、前記ストレーナと前記凝縮器とを接続する前記配管の長さは、前記圧縮機と前記ストレーナとを接続する前記配管の長さよりも短く、
前記ストレーナが前記膨張弁と前記蒸発器とを接続する前記配管に接続されている場合には、前記ストレーナと前記蒸発器とを接続する前記配管の長さは、前記膨張弁と前記ストレーナとを接続する前記配管の長さよりも短い、冷凍サイクル装置。
【請求項２】
室内機をさらに備え、
前記室内機に前記ストレーナが収容されている、請求項１に記載の冷凍サイクル装置。
【請求項３】
前記ストレーナは、前記冷媒回路に前記凝縮器または前記蒸発器の一方として機能する室外熱交換器および前記凝縮器または前記蒸発器の他方として機能する室内熱交換器の少なくともいずれかの前後で接続された第１ストレーナおよび第２ストレーナとを有し、
前記冷媒回路は、四方弁をさらに有し、
前記四方弁は、冷房運転時と暖房運転時とによって前記圧縮機から前記室外熱交換器または前記室内熱交換器へ前記冷媒の流れを切り替えるように構成されており、
前記第１ストレーナおよび前記第２ストレーナが前記冷媒回路に前記室内熱交換器の前後で接続されている場合には、前記第１ストレーナは前記膨張弁と前記室内熱交換器とを接続する前記配管に接続されており、前記第２ストレーナは前記室内熱交換器と前記四方弁とを接続する前記配管に接続されており、前記第１ストレーナと前記室内熱交換器とを接続する前記配管の長さは、前記膨張弁と前記第１ストレーナとを接続する前記配管の長さよりも短く、前記第２ストレーナと前記室内熱交換器とを接続する前記配管の長さは、前記四方弁と前記第２ストレーナとを接続する前記配管の長さよりも短く、
前記第１ストレーナおよび前記第２ストレーナが前記冷媒回路に前記室外熱交換器の前後に配置されている場合には、前記第１ストレーナは前記四方弁と前記室外熱交換器とを接続する前記配管に接続されており、前記第２ストレーナは前記室外熱交換器と前記膨張弁とを接続する前記配管に接続されており、前記第１ストレーナと前記室外熱交換器とを接続する前記配管の長さは、前記四方弁と前記第１ストレーナとを接続する前記配管の長さよりも短く、前記第２ストレーナと前記室外熱交換器とを接続する前記配管の長さは、前記膨張弁と前記第２ストレーナとを接続する前記配管の長さよりも短い、請求項１または２に記載の冷凍サイクル装置。
【請求項４】
前記冷媒回路は、バイパス配管と、二方弁とをさらに有し、
前記第１ストレーナおよび前記第２ストレーナが前記冷媒回路に前記室内熱交換器の前後で接続されている場合には、前記バイパス配管は、前記室内熱交換器と前記第２ストレーナとを接続する前記配管と、前記四方弁と前記第２ストレーナとを接続する前記配管とに接続されており、
前記二方弁は、前記室内熱交換器と前記第２ストレーナとを接続する前記配管と前記バイパス配管とに接続されており、
前記二方弁は、前記暖房運転時に前記第２ストレーナから前記室内熱交換器に前記冷媒を流し、前記冷房運転時に前記室内熱交換器から前記バイパス配管に前記冷媒を流すように構成されている、請求項３に記載の冷凍サイクル装置。
【請求項５】
前記冷媒回路は、バイパス配管と、二方弁とをさらに有し、
前記第１ストレーナおよび前記第２ストレーナが前記冷媒回路に前記室外熱交換器の前後で接続されている場合には、前記バイパス配管は、前記室外熱交換器と前記第１ストレーナとを接続する前記配管と、前記四方弁と前記第１ストレーナとを接続する前記配管とに接続されており、
前記二方弁は、前記室外熱交換器と前記第１ストレーナとを接続する前記配管と前記バイパス配管とに接続されており、
前記二方弁は、前記冷房運転時に前記第１ストレーナから前記室外熱交換器に前記冷媒を流し、前記暖房運転時に前記室外熱交換器から前記バイパス配管に前記冷媒を流すように構成されている、請求項３に記載の冷凍サイクル装置。
【請求項６】
前記冷媒回路は、バイパス配管と、第１逆止弁と、第２逆止弁とをさらに有し、
前記第１ストレーナおよび前記第２ストレーナが前記冷媒回路に前記室内熱交換器の前後で接続されている場合には、前記バイパス配管は、前記室内熱交換器と前記第２ストレーナとを接続する前記配管と、前記四方弁と前記第２ストレーナとを接続する前記配管とに接続されており、
前記第１逆止弁は、前記室内熱交換器と前記第２ストレーナとを接続する前記配管に前記第２ストレーナと前記バイパス配管との間において接続されており、かつ前記第２ストレーナから前記室内熱交換器に前記冷媒を流し、前記室内熱交換器から前記第２ストレーナに前記冷媒が流れることを防止するように構成されており、
前記第２逆止弁は、前記バイパス配管に接続されており、かつ前記四方弁から前記室内熱交換器に前記冷媒が流れることを防止するように構成されており、前記室内熱交換器から前記四方弁に前記冷媒を流すように構成されている、請求項３に記載の冷凍サイクル装置。
【請求項７】
前記冷媒回路は、バイパス配管と、第１逆止弁と、第２逆止弁とをさらに有し、
前記第１ストレーナおよび前記第２ストレーナが前記冷媒回路に前記室外熱交換器の前後で接続されている場合には、前記バイパス配管は、前記室外熱交換器と前記第１ストレーナとを接続する前記配管と、前記四方弁と前記第１ストレーナとを接続する前記配管とに接続されており、
前記第１逆止弁は、前記室外熱交換器と前記第１ストレーナとを接続する前記配管に前記第１ストレーナと前記バイパス配管との間において接続されており、かつ前記第１ストレーナから前記室外熱交換器に前記冷媒を流し、前記室外熱交換器から前記第１ストレーナに前記冷媒が流れることを防止するように構成されており、
前記第２逆止弁は、前記バイパス配管に接続されており、かつ前記四方弁から前記室外熱交換器に前記冷媒が流れることを防止するように構成されており、前記室外熱交換器から前記四方弁に前記冷媒を流すように構成されている、請求項３に記載の冷凍サイクル装置。
【請求項８】
前記凝縮器および前記蒸発器の少なくともいずれかは伝熱管を有し、
前記伝熱管は扁平多穴管により構成されている、請求項１〜７のいずれか１項に記載の冷凍サイクル装置。
【請求項９】
前記ストレーナは、室外熱交換器の前後のいずれかにある、請求項１に記載の冷凍サイクル装置。
【請求項１０】
前記ストレーナは、前記室内機内の前記配管において室内熱交換器寄りに設けられている、請求項２に記載の冷凍サイクル装置。
【請求項１１】
圧縮機、凝縮器、膨張弁、蒸発器の順に冷媒が流れるように配管で接続された冷媒回路と、
前記冷媒回路に接続され、かつ前記冷媒に混入した異物を捕捉するストレーナとを備え、
前記ストレーナは、前記圧縮機と前記凝縮器とを接続する前記配管および前記膨張弁と前記蒸発器とを接続する前記配管の少なくともいずれかに接続されており、
前記ストレーナが前記圧縮機と前記凝縮器とを接続する前記配管に接続されている場合には、前記ストレーナと前記凝縮器とを接続する前記配管の長さは、前記圧縮機と前記ストレーナとを接続する前記配管の長さよりも短く、
前記ストレーナが前記膨張弁と前記蒸発器とを接続する前記配管に接続されている場合には、前記ストレーナと前記蒸発器とを接続する前記配管の長さは、前記膨張弁と前記ストレーナとを接続する前記配管の長さよりも短く、
前記ストレーナは、前記冷媒回路に前記凝縮器または前記蒸発器の一方として機能する室外熱交換器および前記凝縮器または前記蒸発器の他方として機能する室内熱交換器の少なくともいずれかの前後で接続された第１ストレーナおよび第２ストレーナとを有し、
前記冷媒回路は、四方弁をさらに有し、
前記四方弁は、冷房運転時と暖房運転時とによって前記圧縮機から前記室外熱交換器または前記室内熱交換器へ前記冷媒の流れを切り替えるように構成されており、
前記第１ストレーナおよび前記第２ストレーナが前記冷媒回路に前記室内熱交換器の前後で接続されている場合には、前記第１ストレーナは前記膨張弁と前記室内熱交換器とを接続する前記配管に接続されており、前記第２ストレーナは前記室内熱交換器と前記四方弁とを接続する前記配管に接続されており、前記第１ストレーナと前記室内熱交換器とを接続する前記配管の長さは、前記膨張弁と前記第１ストレーナとを接続する前記配管の長さよりも短く、前記第２ストレーナと前記室内熱交換器とを接続する前記配管の長さは、前記四方弁と前記第２ストレーナとを接続する前記配管の長さよりも短く、
前記第１ストレーナおよび前記第２ストレーナが前記冷媒回路に前記室外熱交換器の前後に配置されている場合には、前記第１ストレーナは前記四方弁と前記室外熱交換器とを接続する前記配管に接続されており、前記第２ストレーナは前記室外熱交換器と前記膨張弁とを接続する前記配管に接続されており、前記第１ストレーナと前記室外熱交換器とを接続する前記配管の長さは、前記四方弁と前記第１ストレーナとを接続する前記配管の長さよりも短く、前記第２ストレーナと前記室外熱交換器とを接続する前記配管の長さは、前記膨張弁と前記第２ストレーナとを接続する前記配管の長さよりも短い、冷凍サイクル装置。
【国際調査報告】
2019244267.tif 000020
2019244267.tif 000021
2019244267.tif 000022
2019244267.tif 000023